(57)【特許請求の範囲】
【請求項１】
カード挿入口から挿入されたＩＣカードを搬送する搬送手段を備えたカード搬送装置において、
前記カード挿入口の後方に設けられ、対向する上下板と、
前記搬送手段を、周面にカードの一側端縁が嵌入する溝を備え駆動装置によって回転し前記上下板の一方に支持されカード搬送側に臨む駆動ローラと、
前記上下板の他方に回転自在に支持され前記駆動ローラに対向して駆動ローラ側に臨み、周面にカードの他側端縁が嵌入する溝を備えたピンチローラとによって構成し、
前記駆動ローラおよびピンチローラをカードの搬送方向にカードの全長よりも短い間隔を隔ててそれぞれ少なくとも一対設け、
前記ピンチローラを前記駆動ローラの方向に付勢したことを特徴とする非接触型ＩＣカード搬送装置。
【請求項２】
請求項１記載の非接触型ＩＣカード搬送装置において、
前記搬送手段によってカードの幅方向を略垂直状態となるようにしたことを特徴とする非接触型ＩＣカード搬送装置。
【発明の詳細な説明】
【０００１】
【発明の属する技術分野】
本発明は、非接触型ＩＣカード（以下、単にカードという）を情報処理を行うためにカード処理手段まで搬送したり、処理されたカードを返却したり回収するために搬送する非接触型ＩＣカード搬送装置に関する。
【０００２】
【従来の技術】
一般に、この種の非接触型ＩＣカード搬送装置には、カード挿入口と、このカード挿入口に連通するカード搬送路と、このカード搬送路の裏面に設けられカードのアンテナ部との間で電波によって通信を行うアンテナ基板とが備えられている。そして、カード搬送路を挟むようにして、駆動ローラと従動ローラとの間に張架されカード搬送方向に延在する駆動ベルトと、この駆動ベルトに対接し一対のピンチローラ間に張架された従動ベルトとが備えられている。したがって、カード挿入口から挿入されたカードは、これら両ベルトに挟持され、駆動ベルトの走行によって従動ベルトも追従して走行することによって搬送される。アンテナ基板にカードのアンテナ部が対応すると、カードの搬送は一時的に停止し、アンテナ基板によってカード処理が行われ、処理が終了すると、再びカードが搬送されカード挿入口から返却されるように構成されている。
【０００３】
【発明が解決しようとする課題】
しかしながら、上述した従来の非接触型ＩＣカード搬送装置においては、搬送されるカードの側方にベルトが位置付けられているために、カードのアンテナ部に対向させるようにアンテナ基板を設ける空間がないという問題があった。また、カードの表面にベルトが接触するので、カードの表面に汚れが付着し、このため、カードの再利用が困難であるという問題もあった。
【０００４】
本発明は上記した従来の問題に鑑みなされたものであり、第１の目的は、アンテナ基板を設けるスペースを確保することにある。また、第２の目的はカードの再利用を可能にすることにある。
【０００５】
【課題を解決するための手段】
この目的を達成するために、請求項１記載の発明は、カード挿入口から挿入されたＩＣカードを搬送する搬送手段を備えたカード搬送装置において、前記カード挿入口の後方に設けられ、対向する上下板と、  前記搬送手段を、周面にカードの一側端縁が嵌入する溝を備え駆動装置によって回転し前記上下板の一方に支持されカード搬送側に臨む駆動ローラと、前記上下板の他方に回転自在に支持され前記駆動ローラに対向して駆動ローラ側に臨み、周面にカードの他側端縁が嵌入する溝を備えたピンチローラとによって構成し、前記駆動ローラおよびピンチローラをカードの搬送方向にカードの全長よりも短い間隔を隔ててそれぞれ少なくとも一対設け、前記ピンチローラを前記駆動ローラの方向に付勢したものである。
したがって、カードは二対のローラによって両側端縁が挟持されて搬送される。
また、請求項２記載の発明は、請求項１記載の発明において、前記搬送手段によってカードの幅方向を略垂直状態となるようにしたものである。
したがって、カードによって装置の幅方向の寸法が拡がることがない。
【０００６】
【発明の実施の形態】
以下、本発明の実施の形態を図に基づいて説明する。図１は本発明に係るカード処理装置を模式的に示した斜視図、図２は同じく側面図、図３は図２におけるＩＩＩ−ＩＩＩ  線断面図である。
図１において、全体を符号１で示す非接触型ＩＣカード搬送装置には、上、下端および前端に囲い壁２ａ，２ｂ，２ｃが立設された左側板２が備えられており、この左側板２が開放された右側方は図示を省略した右側板によって覆われ、後方が開放されている。
【０００７】
この左側板２の前端の囲い壁２ｃには、正面視略逆コ字状の投入口部材３が固定され、この投入口部材３には側面視コ字状の支持板５が固定され、この支持板５の前端部と投入口部材３とによってカード挿入口８ａが形成されている。支持板５には、支持板５の上下端が後方に延設され対向する一対の上、下板６，７が一体に形成され、これら上、下板６，７の後端の開口部８ｂがカード排出口を形成している。
【０００８】
この上板６には、一対の矩形状の窓９，９が設けられ、これら窓９，９の側方には断面Ｕ字状の軸受部６ａ，６ａが形成され、これら窓９，９を挟むように上板６の下面には、図２に示すように、３個のガイド部材１２，１３，１４が矢印Ａ方向に並べられるようにして固定されている。これらガイド部材１２，１３，１４には、矢印Ａ方向に延在するガイド溝１２ａ，１３ａ，１４ａがそれぞれ形成されている。下板７には、上述した窓９，９に対向して一対の矩形状の窓１０，１０が設けられ、これら窓１０，１０の側方には円筒状の軸受部７ａ，７ａが形成されている。これら窓１０，１０を挟むように下板７の上面には、上述したガイド部材１２，１３，１４にそれぞれ対向する３個のガイド部材１５，１６，１７が矢印Ａ方向に並べられるようにして固定されている。
【０００９】
これらガイド部材１５，１６，１７には、矢印Ａ方向に延在するガイド溝１５ａ，１６ａ，１７ａがそれぞれ形成されている。これら互いに上下に対向するガイド部材１２とガイド部材１５、ガイド部材１３とガイド部材１６およびガイド部材１４とガイド部材１７のガイド溝間の間隔ｌ１は、カード２０の幅ｌよりもわずかに大きく形成されている。左側板２のガイド部材１６に対応した内面には、アンテナ基板１８が固定され、このアンテナ基板１８には、カード２０のアンテナ部２１と対向するアンテナ部１９が設けられ、これらアンテナ部１９，２１間において無線によって通信が行われるように構成されている。
【００１０】
２３は図示を省略した右側板に固定されたモータであって、このモータ２３のモータ軸２４は左側板２から外側に突出するように延設され、この突出端部には駆動ギア２５が軸着されている。この駆動ギア２５の左右には、一対の被駆動ギア２６，２７が噛合しており、これら被駆動ギア２６，２７は全く同じに形成されている。これら被駆動ギア２６，２７には、下板７の軸受部７ａに回転自在に支持された回転軸２８，２９が軸着され、これら回転軸２８，２９には、窓１０，１０内に臨む一対の駆動ローラ３０，３１が軸着されている。これら駆動ローラ３０，３１の周面には、挟持溝３０ａ，３１ａが形成され、これら挟持溝３０ａ，３１ａは、正面視おいて上述したガイド部材１５，１６，１７のガイド溝１５ａ，１６ａ，１７ａに対応するように位置付けられている。
【００１１】
上板６の軸受部６ａ，６ａには、支軸３４，３６が支承され、これら支軸３４，３６にはピンチローラ３３，３５が窓９，９内に臨むように回転自在に支持され、支軸３４，３６を押圧する板ばね３７，３７によってピンチローラ３３，３５は駆動ローラ３０，３１の方向に付勢されている。これらピンチローラ３３，３５の周面には挟持溝３３ａ，３５ａがそれぞれ形成され、これら挟持溝３３ａ，３５ａは、正面視において上述したガイド部材１２，１３，１４のガイド溝１２ａ，１３ａ，１４ａに対応するように位置付けられている。また、これらピンチローラ３３，３５の挟持溝３３ａ，３５ａと、駆動ローラ３０，３１の挟持溝３０ａ，３１ａとの間隔は、カード２０の幅ｌよりもわずかに小さくなるように構成されている。また、両駆動ローラ３０，３１の軸間距離Ｌ１は、カード２０の全長Ｌよりも小さくなるように形成されている。
【００１２】
次に、このような構成の非接触型ＩＣカード搬送装置におけるカードの搬送動作を説明する。
カード２０をカード挿入口８ａから挿入すると、カード２０の上下の両側端縁は、ガイド部材１２，１５のガイド溝１２ａ，１５ａに係入され、これらガイド溝１２ａ，１５ａに案内されて矢印Ａ方向に導かれる。したがって、カード挿入口８ａから挿入されたカード２０は円滑に矢印Ａ方向に導かれる。このとき、図示を省略したカード検知器によってカード２０の挿入が検知され、モータ２３の駆動が開始されるので、駆動ローラ３０，３１も駆動ギア２５および被駆動ギア２６，２７を介して図２中時計方向に回転する。
【００１３】
カード２０の先端が、駆動ローラ３０とピンチローラ３３との間まで挿入されると、挟持溝３０ａと挟持溝３３ａの間隔がカード２０の幅ｌよりもわずかに小さく形成されているので、板ばね３７の付勢力によって、カード２０の先端部の上下の両側端縁が、これら挟持溝３０ａと挟持溝３３ａとによって挟持される。したがって、カード２０は、駆動ローラ３０の挟持溝３０ａとの間の摩擦力によって、駆動ローラ３０の回転に追従して矢印Ａ方向に搬送される。このとき、ガイド部材１２，１５のガイド溝１２ａ，１５ａ間の間隔ｌ１が、カード２０の幅ｌよりもわずかに大きく形成されていることにより、カード２０の上下の両側端面がガイド溝１２ａ，１５ａの底部に摺接することがないので、カード２０の搬送が妨げられることなく円滑に搬送される。
【００１４】
カード２０のアンテナ部２１がアンテナ基板１８のアンテナ部１９に対向すると、一旦モータ２３の回転が停止し、カード２０の搬送が停止するので、アンテナ基板１８によってカード２０の価値情報の書き換えによるカード処理が行われる。カード処理が終了したら、再びモータ２３が駆動され、カード２０は駆動ローラ３１によって矢印Ａ方向に搬送され、カード排出口８ｂから排出される。
【００１５】
このように、カード２０の搬送をカード２０の上下の両側端縁を挟持する駆動ローラ３０，３１およびピンチローラ３３，３５によって行うようにしたことにより、搬送されるカード２０の側方に搬送手段が位置付けられていないので、アンテナ基板１８を搬送されるカード２０の側方に隣接させて設けることができる。また、両駆動ローラ３０，３１間の間隔Ｌ１をカード２０の全長Ｌよりも短い間隔を隔てて設けられ、カード２０の両側端縁を両駆動ローラ３０，３１とピンチローラ３３，３５とにより挟持されているので、カード２０の搬送が安定する。
【００１６】
また、ピンチローラ３３，３５および駆動ローラ３０，３１を矢印Ａ方向に挟むようにガイド部材１２ないし１７を設けたことにより、カード挿入口８ａから挿入されたカード２０が撓んでいても、これらガイド部材１２ないし１７のガイド溝１２ａないし１７ａによって矯正される。したがって、駆動ローラ３０，３１によるカード搬送が円滑に行われ、カード詰まりが防止される。
【００１７】
なお、本実施の形態では、カード排出口８ｂをカード挿入口８ａと反対側に設けたが、カード処理後に、モータ２３を逆方向に回転させることにより、カード挿入口８ａからカード２０を排出するようにしてもよい。また、本実施の形態のカード搬送装置１では、カード２０の幅方向が垂直状態となるように搬送したが、カード２０の幅方向が水平状態となるように搬送するようにしてもよい。
【００１８】
【発明の効果】
以上説明したように、請求項１記載の発明によれば、カードは二対のローラによって両側端縁が挟持されて搬送されることにより、搬送されるカードの側方に搬送手段が位置付けられていないので、搬送されるカードの側方にアンテナ基板を配置する空間を設けることができる。また、カードの表面に搬送手段が接触することがないので、汚れが付着するようなこともなく、このためカードの再利用ができる。また、両ローラをカードの搬送方向にカードの全長よりも短い間隔を隔てて設けられ、カードの両側端縁を一対の駆動ローラと一対のピンチローラとにより挟持されているので、カードの搬送が安定する。
【００１９】
また、請求項２記載の発明によれば、カードの厚み方向にローラやベルトが設けられてなく、しかもカードの幅方向を垂直状態にしてカードを搬送することにより、装置の幅方向の寸法を小さくできる。
【図面の簡単な説明】
【図１】本発明に係るカード処理装置を模式的に示した斜視図である。
【図２】本発明に係るカード処理装置の側面図である。
【図３】図２におけるＩＩＩ−ＩＩＩ  線断面図である。
【符号の説明】
１…非接触型ＩＣカード搬送装置、８ａ…カード挿入口、８ｂ…カード排出口、１２〜１７…ガイド部材、２０…非接触型ＩＣカード、２３…モータ、３０，３１…駆動ローラ、３３，３５…ピンチローラ、３０ａ，３１ａ，３３ａ，３５ａ…挟持溝。
【図１】
0003580154.tif 000002
【図２】
0003580154.tif 000003
【図３】
0003580154.tif 000004